(57)【要約】【課題】お札を入れるお札袋の裏面部を活用し、神棚に使用する神殿機能を設けた、神棚機能付きお札袋を提供する。【解決手段】お札を入れるお札袋を、自宅等に持ち帰り、直ちに、お札袋の裏面の観音扉を左右に開く事により、神棚として用いる事が出来る様に構成し、神棚となる構造とした神棚機能付きお札袋である。お札袋本体部（１）の左右に観音開きに開く、扉部（２）を設け、扉（２）に扉（２）の開閉時に扉（２）が止められる扉止め部（６）を設け、両側の扉（２）を閉めると、お札袋本体部（１）の裏面部が全面に閉じ、お札袋本体部（１）が一つの袋状になる。お札袋本体部（１）の内側に、神棚の神殿に当たる、鳥居（３）を設け、その内側部にお札（４）をさし奉れる空間部を設ける。又、お札袋本体部の上部に神社の屋根部（７）を設け、又、吊り穴を設けた。以上の如く、お札袋本体部（１）内と、扉の内側にに当たる袋内に、神棚となる神殿部を設けた、お札を奉る事が出来る神棚機能付きお札袋。【選択図】  図４
2004208989.tif 000002
【特許請求の範囲】
【請求項１】
お札袋本体部（１）の左右に付けた扉部（２）を設ける。左右の扉（２）が閉められ止められる、扉止め部（６）を設け、両側の扉（２）を閉めると、お札袋本体部（１）の裏面扉部が、両側から閉じる事で、袋の裏面全面をおおい、お札袋本体部（１）の表面と裏面とが両面を合わせ、一つの紙袋の形状となる神棚機能付きお札袋。
且つ、お札袋本体部（１）の内側面に、神殿となる鳥居部（３）の形状物を設ける。お札を奉る際に、鳥居（３）の上部から鳥居内側にお札（４）を差込み、お札を奉る鳥居形状の神殿を設ける。
且つ、お札袋本体部（１）の上部に神社のイメージの屋根部（４）を設け、又、お札袋本体部（１）の上部に吊り穴（５）を設ける。
以上の如く、お札袋本体部（１）神殿となる鳥居部（３）を設けたお札を奉る事が出来る、神棚機能付きのお札袋。
【請求項２】
お札袋本体部（１）の神棚機能を形成する神殿とする鳥居（３）の象徴物と同様に鳥居（３）以外の形状である、神社、仏閣、の象徴物、建築物をイメージデザインし、表現した形状物を写真、絵、版画、文字、等で描き、印刷又は、貼りつけて、お札袋本体部（１）に神殿として形状化した、神棚機能を設けたお札袋。
【発明の詳細な説明】
【０００１】
【発明の属する技術分野】
この発明は、神社が古くからお札を入れ、参拝者に、お札を販売する目的のお札袋を、そのお札袋の裏面部と内面部を利用して、神棚として利用出来る機能を持たせた、神棚機能付きお札袋である。
古くから、お札を入れ販売もしくは、お渡しする等の目的にのみ使用していた、お札を入れる袋の機能に、神棚不足で、神社のお札を粗末にし、お札を画鋲や糊で壁や冷蔵庫の壁面等に貼る人が多い事から、神棚を急ぎ普及する目的で、お札袋としての機能だけで使用してきた従来の使い方から、お札袋に神棚の機能を加え、一つの袋で、表面と裏面と内側面を使い分け、単なるお札入れ袋の時と、袋の裏面に設けた観音扉を開くと、神棚として使用する事が出来る、神棚機能付きお札袋を発明した。
従来から、神社が、お札を入れ販売する目的のお札袋は、白色の袋で、表面に主に、神社名、紋章  神社の角印を押した表示をするものが多い、その袋を活用する事で、一つの袋に二つの機能を一体にして持たせる事で、紙としての環境資源を節約出来、且つ、核家族した家庭や、少子化した家族、洋風化した現代の和室を持たない家庭での神棚として、社会に役立つ簡易神棚とし、手軽に何処でもお札を祭る事の出来る、神棚機能付きのお札袋に関するものである。
【０００２】
【従来の技術】
従来から、神社はお札を参拝者に販売する為に、紙袋を使用して、お札のみを、単に袋に入れ、お札を購入する人にお札袋を渡している。これらの袋は、白い長方形の紙袋で、袋の表面に、神社名や神社の紋所、大きな四角い印をおして、お札袋として用いている。
これらは、単に、神社でお札を買った参拝者が、お札を汚す事無く、家に持ちかえる目的で使用する紙袋としての用途として用いている。
その事から、従来からの技術は、お札のサイズに合わせた、長方形の縦位置の封筒型の単に、お札を入れる紙袋である。
【０００３】
【発明が解決しようとする課題】
これらは、次のような問題点があった。
近年は、少子化が進み、核家族化する傾向があり、さらに、建築の洋風化で、各家庭に和室が少なく、大きな神棚を奉る場所が少なくなっている。そのために、お札を画鋲で止めたり、糊で壁等に貼る家庭が多くなった。従い、神様としてのお札を奉る所がない等、昔からの家に取り付けられた大きな神棚では現代は不適当である事がわかった。従い、このままでは神棚を一般家庭に増やす事が簡単に出来ない事が解かり、普及に大きな問題があった。そこで、平成１１年１２月２７日出願した特開２００１−１８６９８１に記した、お札ケース機能付き祈願神棚の趣旨と機能は同一であるが、このお札ケース機能付き祈願神棚は、簡易神棚として、神社がお札を販売する際に、参拝者が神社のお札を買い、更に、別に、昔からの大きな神棚が無い家庭が、簡易神棚として購入する事を目的とした神棚のため、参拝者がお札を購入し、更に、簡易神棚を購入する二重の出費となり、お金の負担が増加するため、普及に時間が掛かる事がわかった。
従い、参拝者には、ほとんど負担がかからず、且つ、お札の購入時に、自動的に神棚が、お札を買う時の神社のサービス袋であるお札袋に、神棚が付いている方法が、普及に最も早い事に気がつき研究を重ねた。
お札袋はお札の購入時に、全国何処の神社でも、使用するものである事から、このお札袋の活用を基に、神棚機能をお札袋の中に加える事で、最も早く神棚を普及出来る。しかも、お札を粗末にしないで奉る事が出来る場所を提供出来る事が解かった。
この事から本発明は、これらの欠点を除くためになされたものである。
【０００４】
【課題が解決するための手段】
お札の形状は、通常、縦位置の長方形である。また、お札を奉る場合の神棚の形状も、お札の形状と同様の縦位置の長方形状で造る事が出来る。従来からのお札を入れる紙袋と、簡易神棚として用いる事の出来る形状は、同一の形状で形成出来る事が解かった。
お札を入れる、お札袋本体部（１）と、お札を神棚として奉るお札袋本体部（１）の形状は、同一の形状で形成出来る。その事から、お札袋本体部の袋の表面部に、従来から神社の紋章や神社名が書かれ、四角の神社印が捺されたお札袋であり、形状も同様である事から、単に、お札のみを販売する袋も、神棚機能を、お札袋本体部（１）の裏面と内面に形成した袋も、共に、同様に使用出来る。従い、神棚を形成するお札袋の裏面の中央部より、左右に開く観音開きの扉部（２）を左右に設ける。その扉（２）を左右に開くと、お札袋本体部（１）の内側面に中央に、神棚の機能となる、神社の象徴である、鳥居部（３）の形状物を、抜き型で抜き、神棚となる中央に鳥居（３）を、型紙から抜いた鳥居（３）を袋の内側に折込み、お札袋本体部（１）の中央部に糊ずけし、鳥居を設ける。お札（４）は、鳥居の裏面に設けた、空間部に、鳥居（３）の上部より差込む。従い、鳥居（３）内にお札（４）を奉る事が出来る。お札袋本体部（１）の裏面の扉部（２）を左右に開くと、鳥居部（３）があり、参拝する事が出来る。
神社が、お札（４）をお札袋本体部（１）に入れる際、従来のお札（４）の方向と逆方向の裏面側にお札（４）の正面が向く様にする事で、お札袋本体部（１）裏面の神棚の扉（２）を開くと鳥居（３）にセットしたお札（４）は神棚正面を向いて奉られている。
参拝者が家に持ち帰り、壁等に掛け、神棚を開くと、お札文字も神棚の参拝者に向ってセットされている状態となる。
お札袋本体部（１）、の上部に吊り穴が設けてあり、柱、壁等に掛ける。更に、購入時、お札の持ち運びの際には、お札袋本体部（１）の裏面にある扉（２）と扉止め部（６）を閉じる事で扉（２）が勝手にに広がる事を防止し、お札袋本体部（１）の裏面の扉（２）が袋の全体面を覆いお札袋本体部（１）がお札（４）購入時同様に袋状になる。
本発明は、以上のような構造で構成する神棚機能付きお札袋である。
【０００５】
【発明の実施の形態】
以下、本発明の実施例の形態を説明する。
お札袋本体部（１）の左右に観音開きに開く、扉部（２）を設け、扉（２）に扉（２）の開閉時に扉（２）が止められる扉止め部（６）を設け、両側の扉（２）を閉めると、お札袋本体部（１）の裏面部が全面に閉じ、お札袋本体部（１）が一つの袋状になる。
お札袋本体部（１）の内側に、神棚の神殿に当たる、鳥居（３）を設け、鳥居（３）の内側部にお札（４）が奉れる空間部を設ける。お札袋本体部の上部に神社の屋根部（４）を設け、又、吊り穴を設けた。
以上の如く、お札袋本体部（１）内に神棚を設け、お札を奉る事が出来る神棚機能付きお札袋である。
本発明は、以上の様な構造で、これを使用する時は、神社がお札を購入する参拝者の為に、まず、お札袋本体部（１）の裏面の観音開きの扉部（２）を開く、お札袋本体部（１）の中央に鳥居部（４）があり、糊付けされて入るが、鳥居部（４）の内面は空間部が設けてあるので、鳥居部（４）の上部より、簡単にお札をセット出来る。お札の文字が鳥居と共に、神棚の正面に向く様にお札を入れ、扉部（２）の扉止め部として設けた凹凸部に止め、扉を閉める。
神社は、参拝者からのお札購入を受けたら、従来からのお札袋と同様に、神社名、紋章等が書かれた袋の表面を上にして、お札袋にお札を入れ渡す。お札を買った参拝者は、家に持ち帰り、お札袋の裏面を表にして、壁や柱の釘等に神棚機能付きお札袋の裏面扉付き面を表にして飾る。次に、お札袋本体部（１）の扉部（２）を左右に開き、神棚となる鳥居（３）の中に、神社が、お札を鳥居部（３）にセットしてある。従い、どんな場所にも、手軽に神棚として、神棚機能付きお札袋として簡単に奉る事が出来る。
【０００６】
【発明の効果】
神棚機能付きお札袋にする事で、神社に初詣や御祭りの時参拝し、お札を購入しても、今までの様に、神棚が無く、奉るところが無い事から、壁や柱に画鋲や糊でお札を貼る必要がなく、大切に奉る事が出来る。
全国の家庭の半数に神棚が無いと言はれていますが、この神棚付きお札袋に変える事により、神棚が大きく変わる事が出来る。毎年必要とするお札の数と同様な数量の神棚付きお札袋にする事で、神棚不足を１日も早く解消出来る効果がある。しかも、お札袋は昔から、全国の神社でお札を入れる袋として普及している。従い、神棚付きお札袋は、多少の加工費が掛かる程度で、今までのお札袋を造る金額に近い額で生産出来る。その為、神社にも負担が少なく、参拝者にも大きな負担がない。
以上の事から、全国の神社で初詣やお祭り等の時や、各種の行事の際に、参拝者にお札袋に付いた神棚が配布され、全国の家庭でお札が大切に奉られ、神棚不足を解消出来る。
【図面の簡単な説明】
【図１】本発明の神棚機能付きお札袋を抜き型で抜いた組立前の平面図。
【図２】お札袋本体部の表面図である。
【図３】お札袋本体部の裏面図である。
【図４】お札袋本体部の裏面、神棚側の鳥居部（３）を内側に折込み、鳥居部（３）を糊で貼り、神殿となる鳥居を装着した展開図。
【図５】お札袋本体部の裏面、屋根付きの状態を示す神棚部の参考斜視図。
【図６】お札袋本体部の裏面、吊り穴部の状態を示す神棚部の参考斜視図。
【符号の説明】
１  お札袋本体部
２  扉部
３  鳥居部
４  お札
５  吊り穴
６  扉止め部
７  屋根部
【図１】
2004208989.tif 000003
【図２】
2004208989.tif 000004
【図３】
2004208989.tif 000005
【図４】
2004208989.tif 000006
【図５】
2004208989.tif 000007
【図６】
2004208989.tif 000008